(57)【要約】【課題】簡単且つ確実に重りを付加することができる疑似餌の提供を目的としている。【解決手段】本発明の一実施形態に係る疑似餌１は、疑似餌本体２と、疑似餌本体２の下部に突設された固定重り１０と、固定重り１０から突出され、疑似餌本体２の重さを調節するために付加される調節用重り３０が着脱自在に螺合される螺子桿２２，２４とを備えている。【選択図】図１
2010119360.tif 000002
【特許請求の範囲】
【請求項１】
疑似餌本体と、
疑似餌本体の下部に突設された固定重りと、
前記固定重りから突出され、疑似餌本体の重さを調節するために付加される調節用重りが着脱自在に螺合される螺子桿と、
を備えることを特徴とする疑似餌。
【請求項２】
前記固定重りが前記疑似餌本体の下部の前方側に設けられていることを特徴とする請求項１に記載の疑似餌。
【請求項３】
前記螺子桿は、前記固定重りから前記疑似餌本体の左右の少なくとも一方側へ突出していることを特徴とする請求項１または請求項２に記載の疑似餌。
【請求項４】
前記螺子桿は、前記固定重りから前記疑似餌本体の長手方向に突出していることを特徴とする請求項１ないし請求項３のいずれか１項に記載の疑似餌。
【請求項５】
前記螺子桿が前記固定重りに対して回動可能であることを特徴とする請求項１ないし請求項４のいずれか１項に記載の疑似餌。
【発明の詳細な説明】
【技術分野】
【０００１】
本発明は、主としてイカ釣りに際して用いられる疑似餌に関する。
【背景技術】
【０００２】
従来、「餌木」と称される疑似餌を用いたイカ釣りが知られている。通常、餌木は、海老や魚等に似せた胴部（疑似餌本体）と、胴部の前方側の下部に突出するように取り付けられた重りと、胴部前端に設けられた釣糸止着部と、胴部の後端に設けられ、先端を前方に向けた釣り針とを有している。このように構成される餌木は、釣糸止着部に釣糸が取り付けられ、ルアーキャスティングと同様、ポイントに投げ込まれる。そして、リールで釣糸を巻く際に釣竿を煽ることにより餌木にアクションを与えると、イカが餌木の動きに誘われて餌木に抱きつく。したがって、餌木に抱きついたイカを、胴部後端に設けられた釣り針に引っ掛けて釣り上げることができる。
【０００３】
上記したアクションにおいて、餌木は、釣竿を煽ることで水面に向けて上昇し、釣竿の煽りを止めることで胴部の前方側の下部に設けられた重りによって前方を下向きにして沈んで行き、このような水中の上下運動でイカを誘うことができる。この場合、餌木に取り付けられた重りによって沈み具合が異なることから、胴部の前方側の下部に設けられた重りは、更に重りを付加できるように、例えば、特許文献１のような重り取り付け部を兼ね備えたものが知られている。
【０００４】
この公知技術では、胴部の前方側の下部に板状重りが突出され、この板状重りには、付加重り取り付け用として、左右方向に取り付け孔が設けられている。この取り付け孔には、各種形態の重りが取り付けられるようになっているが、その図１０には、取り付け孔を介して板状重りの両側からネジ止めによって付加重りを取り付ける構成が開示されている。
【特許文献１】特開２００２−２２３６６９号
【発明の開示】
【発明が解決しようとする課題】
【０００５】
上記のように、板状重りの取り付け孔に付加重りをネジ止めすれば、餌木に大きなアクションを与えても重りが外れることがなくなるため好ましいが、取り付け孔に対して一対の付加重りの螺子桿を差し込んで餌木を保持しながら指先で付加重りを取り付け（指先で付加重りの頭部をつまみながら回動してネジを螺合し）なければならないため、その取り付け作業が難しく、また、ネジを落とし易いという問題もある。特に、夜釣りでは、付加重りを紛失してしまう可能性が大きい。
【０００６】
本発明は、前記事情に着目してなされたものであり、その目的とするところは、簡単且つ確実に重りを付加することができる疑似餌を提供することにある。
【課題を解決するための手段】
【０００７】
前記課題を解決するために、本発明の疑似餌は、疑似餌本体と、疑似餌本体の下部に突設された固定重りと、前記固定重りから突出され、疑似餌本体の重さを調節するために付加される調節用重りが着脱自在に螺合される螺子桿とを備えることを特徴とする。
【０００８】
上記構成によれば、固定重りから突出する螺子桿に対して調節用重りを螺合するだけで重りを付加することができるため、疑似餌本体の重量調節を簡単且つ確実に行なうことができる。また、螺子桿が固定重りと一体であるため、ネジを落としてしまうような問題もなく、また、取り付け作業が容易であるため、特に夜釣りなどにおいて取り付け作業中に調節用重りを落としてしまう（紛失してしまう）事態も回避できる。
【０００９】
なお、上記構成において、前記固定重りを前記疑似餌本体の下部の前方側に設ければ、後部に針を備える疑似餌本体の重量バランスおよび疑似餌の所望の動きを良好に確保することができ有益である。また、疑似餌の特有の動きを実現するため、あるいは、根掛かりを防止するためなど、所要の目的に応じて、前記螺子桿は、前記固定重りから前記疑似餌本体の左右の少なくとも一方側へ突出していても良く、あるいは、前記固定重りから前記疑似餌本体の長手方向に突出していても良い。また、前記螺子桿が前記固定重りに対して回動可能であっても良い。このようにすると、調節用重りを取り付けし易い位置と、根掛かり防止や重量バランス等において最適な規定位置との間で螺子桿（調節用重り）を回動させることができ、作業性および機能性に優れる。
【発明の効果】
【００１０】
本発明の疑似餌によれば、簡単且つ確実に重りを付加することができる。
【発明を実施するための最良の形態】
【００１１】
以下、図面を参照して、本発明に係る疑似餌の実施形態について具体的に説明する。  
図１〜図３は、本発明の一実施形態に係る疑似餌を示す図であり、図１は固定重りの螺子桿に調節用重りを取り付けた状態を示す疑似餌の側面図、図２は固定重りの螺子桿に後方から調節用重りを取り付けた後に左右から調整重りを取り付けようとしている状態を示す疑似餌の側面図、図３は固定重りの左右方向に延びる螺子桿に両側から調節用重りを取り付ける状態を示す疑似餌本体の長手方向から見た断面図である。
【００１２】
本実施形態に係る疑似餌１は、疑似餌本体２と、この疑似餌本体２から突出する固定重り（基礎重り）１０とを有している。疑似餌本体２は、合成樹脂や木材で形成され、前後方向に長く、海老や魚等の生き物に似せて形成されている。また、疑似餌本体２は、その前端に設けられ金属で形成したリングからなる釣糸止着部４と、その後端に設けられ先端が前方を向いた複数の釣り針５とを有している。また、疑似餌本体２には、必要に応じて目６やひれ部材７等が設けられている。
【００１３】
固定重り１０は、板状に形成されており、疑似餌本体２の下部の前方側に固定して突設されている。また、固定重り１０は、例えばその一部が疑似餌本体２に差し込まれて取り付けられており、疑似餌本体２の左右に板状体の両面が向いて水を切るようにキール状に突設されている。更に、固定重り１０は、鉄、ステンレス、鉛、真鍮、タングステンなどの金属や金属粉末等を混入した高比重の合成樹脂等の、疑似餌本体２よりも比重の大きな材料で形成されている。なお、固定重り（基礎重り）１０は、後に説明する調節用重り（付加重り）３０を保持するための基礎となる重りで、疑似餌本体２に固定されるほか、疑似餌本体２に対して着脱自在に取り付けられていても良い。
【００１４】
また、固定重り１０からは螺子桿（雄螺子部）２２，２４が突出している。具体的に、本実施形態では、固定重り１０から疑似餌本体２の左右両側へ突出する第１の螺子桿２２と、固定重り１０から疑似餌本体２の長手方向の後方へ突出する第２の螺子桿２４とが設けられている。無論、疑似餌１の特有の動きを実現するため、あるいは、根掛かりを防止するためなど、所要の目的に応じて、第１の螺子桿２２は、左右方向の一方側のみに突出していても良く、また、第２の螺子桿２４は、疑似餌本体２の長手方向の前方へ突出していても良い。更に、第１の螺子桿２２および第２の螺子桿２４の両方が設けられている必要はなく、第１の螺子桿２２のみ或いは第２の螺子桿２４のみが設けられていても良い。
【００１５】
また、これらの螺子桿２２，２４には、疑似餌本体２の重さを調節するために付加される調節用重り（付加重り）３０が着脱自在に螺合されるようになっている。調節用重り３０は、固定重り１０と同様に疑似餌本体２より比重の大きい鉄、ステンレス、鉛、真鍮、タングステンなどの金属やその合金、或いは金属粉末を混入した高比重の材料で厚みが薄い板状の円形（円盤状）に形成されている。また、調節用重り３０には、螺子桿２２，２４が螺合するネジ穴（雌螺子部）３０ａが形成されている。
【００１６】
このような構成によれば、固定重り１０から突出する螺子桿２２，２４に対して調節用重り３０を螺合するだけで重りを付加することができるため、疑似餌本体２の重量調節を簡単且つ確実に行なうことができる。また、螺子桿２２，２４が固定重り１０と一体であるため、ネジを落としてしまうような問題もなく、また、取り付け作業が容易であるため、特に夜釣りなどにおいて取り付け作業中に調節用重りを落としてしまう（紛失してしまう）事態も回避できる。また、固定重り１０が疑似餌本体２の下部の前方側に設けられているため、後部に釣り針５を備える疑似餌本体２の重量バランスおよび疑似餌１の所望の動きを良好に確保することができ有益である。
【００１７】
図４および図５は、前述した実施形態の第１の変形例を示している。すなわち、この変形例では、第２の螺子桿２４が、固定重り１０に設けられた支軸３３を中心に、固定重り１０に対して回動できるようになっている。このような構成によれば、螺子桿２４に対して調節用重り３０を取り付けし易い位置（図４の位置Ａ）と、根掛かり防止や重量バランス等において最適な規定位置（図４の位置Ｂ）との間で螺子桿２４（調節用重り３０）を回動させることができ、調節用重り３０を固定重り１０に接触するまで螺子桿２４に螺合すると螺子桿２４の回動が規制され取り付けが完了するため、作業性および機能性に優れる。また、螺子桿２４を回動して螺子桿２４が突出する方向を変えた状態で調節用重り３０を取り付けることで疑似餌本体２の重量バランスを変えて疑似餌１の動きを変えることができる。例えば、螺子桿２４が位置Ｂにあるときよりも位置Ａで調節用重り３０が取り付けられている方が、疑似餌１はより下方を向いて沈んでいく。
【００１８】
図６は、前述した実施形態の第２の変形例を示している。すなわち、この変形例では、固定重り１０が螺子桿として構成されている（固定重りが螺子桿を兼ねている）。すなわち、固定重り１０は、ネジボルトの形態を成して、疑似餌本体２の下部の前方側で下方に向けて突設されている。このような構成によれば、少ない部品点数で第１の実施形態と同様の作用効果を得ることができ有益である。
【図面の簡単な説明】
【００１９】
【図１】本発明の一実施形態を示し、固定重りの螺子桿に調節用重りを取り付けた状態を示す疑似餌の側面図である。
【図２】固定重りの螺子桿に後方から調節用重りを取り付けた後に左右から調整重りを取り付けようとしている状態を示す疑似餌の側面図である。
【図３】固定重りの左右方向に延びる螺子桿に両側から調節用重りを取り付ける状態を示す疑似餌本体の長手方向から見た断面図である。
【図４】図１の実施形態の第１の変形例に係る疑似餌の側面図である。
【図５】図４の疑似餌を長手方向から見た断面図である。
【図６】図１の実施形態の第２の変形例に係る疑似餌の側面図である。
【符号の説明】
【００２０】
１  疑似餌
２  疑似餌本体
１０  固定重り（基礎重り）
２２，２４  螺子桿
３０  調節用重り（付加重り）
【図１】
2010119360.tif 000003
【図２】
2010119360.tif 000004
【図３】
2010119360.tif 000005
【図４】
2010119360.tif 000006
【図５】
2010119360.tif 000007
【図６】
2010119360.tif 000008